(57)【特許請求の範囲】
【請求項１】
第１の組付けレール（３０）に固定された差込み式コネクタ（１）の第１のシステムと、第２の組付けレール（３０′）に固定された差込み式コネクタ（１′）の第２のシステムとのためのロック装置（５０）であって、
該ロック装置（５０）は、受動的なロック部分（５１）と能動的なロック部分（５２）とから形成されており、
前記能動的なロック部分（５２）と前記受動的なロック部分（５１）とのロック時に、第１の組付けレール（３０）と第２の組付けレール（３０′）とは互いに結合されており、
かつ第１及び第２の組付けレール（３０，３０′）に位置する差込み式コネクタ（１，１′）は互いに接触接続されている、ロック装置（５０）において、
前記受動的なロック部分（５１）には垂直方向の両側において、それぞれ１つの組付けレール（３０）が固定可能であり、その結果組付けレール（３０）は垂直方向において互いに間隔をおいて配置されていることを特徴とする、ロック装置（５０）。
【請求項２】
前記受動的なロック部分（５１）は、トグル機構式のロック装置を介して、前記能動的なロック部分（５２）に連結可能である、請求項１記載のロック装置（５０）。
【請求項３】
前記能動的なロック部分（５２）はピン（５３）を有し、該ピン（５３）は、ロック動作時に、前記ピン（５３）のために設けられた、前記受動的なロック部分（５１）の開口（５４）に導入可能である、請求項１又は２記載のロック装置（５０）。
【発明の詳細な説明】
【技術分野】
【０００１】
本発明は、請求項１の前提部に記載された、差込み式コネクタの第１のシステム及び差込み式コネクタの第２のシステムのためのロック装置に関する。
【０００２】
このようなロック装置は、差込み式コネクタの互いに接触接続されたシステムのコンタクトが、間違って解離されることを防止するために、必要になる。
【０００３】
従来の技術
ＤＥ２０２００８００６９３４Ｕ１は、光導波体のための差込み式コネクタを開示する。ハウジング体はそれぞれただ１つの接触接続エレメントを有しており、ハウジング体に一体成形されたウェブを、隣接したハウジング体の、前記ウェブに適合する切欠きに導入することによって、互いに並べて配置することができる。互いに並べて配置された差込み式コネクタは、差込み式コネクタの１つのシステムを形成する。
【０００４】
ＫＲ１０２００６００９１９２３Ａは、１つの組付けレールに互いに並べて配置された差込み式コネクタのシステムを開示する。個々の差込み式コネクタは、互いに結合されていない。組付けレールは両側においてロックエレメントを介して閉鎖される。ロックエレメントは、差込み式コネクタが組付けレールから下方に移動することを防止するために働く。
【０００５】
ＫＲ１０２００６００９１９２３Ａには、差込み式コネクタのシステムを、同様に１つの組付けレール上に位置する対応コネクタのシステムと、どのようにして結合することができるのか、その可能性が記載されていない。
【０００６】
発明の課題
本発明の課題は、差込み式コネクタのシステムのためのロック装置を改良して、差込み式コネクタのシステムを互いに簡単に接触接続させることができるロック装置を提供することである。
【０００７】
この課題は、請求項１の特徴部に記載の構成によって解決される。
【０００８】
本発明の好適な態様は、従属請求項に記載されている。
【０００９】
本発明による差込み式コネクタのシステムは、一緒に１つの組付けレールに固定されている互いに連結された一列の差込み式コネクタから成っている。
【００１０】
個々の差込み式コネクタは、ハウジング体によって取り囲まれている。
【００１１】
ハウジング体は好適には、一体に形成されている。このことは、プラスチックハウジングの場合には、公知のプラスチック射出成形法によって、又は、金属製ハウジングの場合には、公知の亜鉛ダイカスト法によって実現することができる。
【００１２】
また、例えば金属とプラスチックとの組合せから成る、複合材料製のハウジング体を形成することも可能である。
【００１３】
ハウジング体の内部には、保持ケージが脱落を防止されて係止されている。
【００１４】
保持ケージは、実質的に中空円筒体として形成されている。保持ケージは一方の端部に、軸方向に延びる２つのアームを有し、この両アームによって、接触接続エレメントは、脱落を防止して取り囲まれる。保持ケージは他方の端部において、差込み式コネクタに接続されるケーブルのケーブル外装に係合する。ケーブルの導体は、例えばクリンプ結合部を介して、接触接続エレメントに接続されている。
【００１５】
ハウジング体の外側には、両側に連結エレメントが設けられており、これらの連結エレメントは、同様なハウジング体を備えた２つ以上の差込み式コネクタを互いに連結することを可能にする。
【００１６】
好適な態様では、１つの連結エレメントは、円弧状の溝として形成され、かつ他方の連結エレメントは、円筒状のピンとして形成されている。一方のハウジング体の円筒状のピンは、連結される同様なハウジング体の円弧状の溝に導入されるように、設計されている。このようにして、同様なハウジング体を備えた複数の差込み式コネクタを、互いに並べて配置することができる。
【００１７】
互いに並べて配置する場合には、単に、ハウジング体を同様に形成することだけが必要である。差込み式コネクタの内部構造は、まったく異なっていてよい。例えば、多極の電気的な差込み式コネクタを、単極の光導波体用差込み式コネクタと組み合わせることも可能である。これによって、差込み式コネクタ装置の高いモジュール性を得ることができる。差込み式コネクタ装置は、この場合、差込み式コネクタのシステムとも呼ばれる。
【００１８】
ハウジング体の外側面にはさらに、差込み式コネクタを、例えば横断面がＵ字形もしくは帽子形の保持レールである組付けレールに固定することを可能にする、固定手段が成形されている。
【００１９】
差込み式コネクタは、連結エレメントを介して互いに連結すること、かつさらに１つの組付けレールに脱落を防止して固定することができる。
【００２０】
固定手段は、位置固定ノーズとスプリングピンとの組合せから成っている。位置固定ノーズは、軸方向に突出していて、組付けレールのカラーに係合する。固定ピンは、ばね弾性的に形成されていて、組付けレールにおける係止時に、該固定ピンが組付けレールの別のカラーの後ろに係止する前に、まずは変位することができる。
【００２１】
差込み式コネクタは、ケーブル螺合部によって完全なものになり、このケーブル螺合部は、ケーブルの引張り負荷軽減と、塵埃や水のような媒体に対するハウジング体のシールを保証する。
【００２２】
所望の数の差込み式コネクタが１つの組付けレールに並べて配置されると、これは、差込み式コネクタのシステムとも呼ばれる。
【００２３】
差込み式コネクタの２つのシステムを互いに接触接続するためには、差込み式コネクタのシステムがそれぞれ結合されて位置している組付けレールをまとめる必要がある。このことは、ロック装置を介して実現され、このロック装置は、個々の組付けレールを、脱落を防止して互いに結合し、これによって、互いに向かい合って位置する差込み式コネクタもまた互いに接触接続される。
【００２４】
ロック装置は、受動的なロック部分と能動的なロック部分とから成っている。この能動的なロック部分は、ロックエレメントを有していて、これらのロックエレメントによって、受動的なロック部分は能動的なロック部分に結合される。
【００２５】
能動的なロック部分と受動的なロック部分とのロック時に、差込み式コネクタのシステムの組付けレールは、互いに向かって案内されて、互いに結合される。さらに、互いに向かい合って位置する差込み式コネクタは、互いに接触接続される。
【００２６】
好適な態様では、受動的なロック部分のロックエレメントは、トグル機構式のロック装置を形成する。これによって、特に安定したロック装置が得られる。
【００２７】
互いに結合される組付けレールの集結を容易にするために、ロック装置はガイドを有する。このガイドは、能動的なロック部分におけるピンから成っていて、このピンはロック動作時に、該ピンのために設けられた、受動的なロック部分における開口に、導入される。
【００２８】
受動的なロック部分はその上下両側に、固定手段を有し、該固定手段を用いて組付けレールが固定可能である。例えば２つの組付けレールを互いに上下に、つまり垂直方向に間隔をおいて、静的に安定的に配置することができる。受動的なロック部分と能動的なロック部分とを互いに連結することによって、差込み式コネクタの接触接続されたシステムを、垂直方向に間隔をおいてかつ静的に安定的に配置することができる。ロック装置を介して、差込み式コネクタの任意に多数のシステムを、互いに上下に配置することができ、いわゆる差込み式コネクタ・アレイを形成することができる。
【００２９】
実施形態
次に図面を参照しながら、本発明の１実施形態を説明する。
【図面の簡単な説明】
【００３０】
【図１】差込み式コネクタを示す斜視図である。
【図２】差込み式コネクタを示す別の斜視図である。
【図３】差込み式コネクタをベースボディなしで示す斜視図である。
【図４】接触接続エレメントを示す斜視図である。
【図５】組付けレールに取り付けられた差込み式コネクタを示す側面図である。
【図６】連結過程時における２つの差込み式コネクタを示す斜視図である。
【図７】差込み式コネクタの互いに結合された２つのシステムを示す斜視図である。
【図８】ロック装置を示す側面図である。
【００３１】
図１及び図２には、本発明による差込み式コネクタの１実施形態が斜視図で示されている。しかしながら本発明は、図示の実施形態に制限されるものではない。
【００３２】
差込み式コネクタ１はベースボディ２によって取り囲まれる。中空のベースボディ２の内部には、保持ケージ１０が脱落を防止されて係止されている。図３には、ベースボディ２を除いた状態で差込み式コネクタ１が示されている。保持ケージ１０は、一方の端部に係止エレメント１２を有し、この係止エレメント１２は、ベースボディ２の内部に設けられた、該係止エレメント１２に適合するアンダカット（図示せず）に係合し、これにより保持ケージ１０をベースボディ２内において固定する。前記端部においては、接続されるケーブル（図示せず）のケーブル外装もまた、保持ケージ１０を貫通する。
【００３３】
保持ケージ１０は他方の端部にアーム１１を有し、このアーム１１は、接触接続エレメント２０を取り囲んでいる。これによって接触接続エレメント２０は、ベースボディ２において、軸方向の対称軸線に沿って固定される。
【００３４】
上において既に述べたように、保持ケージ１０の、反対側に位置する端部は、接続されるケーブルのケーブル外装によって貫通される。接続されるケーブルの導体は、接触接続エレメント２０とクリンプ結合されている。
【００３５】
図４には、接触接続エレメント２０が斜視図で示されている。接触接続エレメント２０は一方の側に、接続されるケーブルの導体を収容するための圧着開口２１を有する。接触接続エレメント２０の他方の側は、図示の実施形態では、ピンコンタクト２２として形成されている。しかしながらまた、ソケットコンタクトが設けられていてもよい。
【００３６】
本発明は、シングルコンタクトの差込み式コネクタに制限されるものはない。接触接続エレメント２０は、多芯ケーブルを接続するために複数の圧着開口２１及びコンタクト２２を有してもよい。
【００３７】
ベースボディ２は、一方の側に円筒状のピン３を有し、他方の側に円弧状の溝４を有する。差込み式コネクタ１のピン３は、別の差込み式コネクタ１の溝４に導入するのに適している。このようにして、複数の差込み式コネクタ１が互いに並べて配置、もしくは互いに連結される。所望の数の差込み式コネクタが得られた場合、これは、差込み式コネクタ１，１′のシステムと呼ばれる。
【００３８】
ハウジング体であるベースボディ２にはさらに、位置固定ノーズ５とスプリングピン６が設けられており、この位置固定ノーズ５及びスプリングピン６は共働して、組付けレール３０における差込み式コネクタ１の可逆式の固定を可能にする。位置固定ノーズ５は、組付けレール３０のアンダカット３１に係合する。組付けレール３０に向かって差込み式コネクタ１を押し下げると、スプリングピン６は最初、斜めに面取りされた肩部３３によって曲げ戻され、次いで、組付けレール３０の別のアンダカット３２内に係合する。
【００３９】
ベースボディ２はさらに支持輪郭７を有し、これらの支持輪郭７は、差込み方向での組付けレール３０における差込み式コネクタ１の運動時に、これによって生じる力がスプリングピン６によって完全に受け止められてしまうことを、阻止する。
【００４０】
差込み式コネクタ１は、ケーブル螺合部４０を備えており、このようなケーブル螺合部４０は従来技術から一般的に公知であるので、このケーブル螺合部４０についての詳細な説明は省く。ケーブル螺合部４０は、接続されるケーブルの引張り負荷軽減のため、並びに、塵埃や水のような媒体に対するベースボディ２のシールのために働く。
【００４１】
図６は、組付けレール３０における２つの差込み式コネクタの連結過程を示す。１つの差込み式コネクタ１ａは、ここでは既に組付けレール３０に固定されている。次いで連結される差込み式コネクタ１ｂの位置固定ノーズ５は、最初にアンダカット３１に挿入される。次いで差込み式コネクタ１ｂは、矢印７の方向で組付けレール３０に向かって移動させることができる。差込み式コネクタ１ｂの円弧状の溝４は、差込み式コネクタ１ａの円筒状のピン３に後ろから係合する。溝４の円弧形状に基づいて、差込み式コネクタ１ｂを矢印７の方向に案内することができる。次いで、スプリングピン６は、既に述べたように、組付けレール３０のアンダカット３２内に係合する。そして差込み式コネクタ１ａ，１ｂは、互いに連結され、かつ組付けレール３０においても固定される。
【００４２】
差込み式コネクタのモジュラシステムから１つの差込み式コネクタを解除する場合には、連結時における動作と真逆の動作が行われる。最初にスプリングピン６を、手によって、アンダカット３２から押し出す必要がある。次いで、差込み式コネクタは、矢印７とは逆の方向で、隣接した差込み式コネクタ及び組付けレール３０から解離することができる。
【００４３】
図８には、ロック装置５０が側面図で示されている。このロック装置５０は、受動的なロック部分５１と能動的なロック部分５２とから成る。
【００４４】
能動的なロック部分５２も受動的なロック部分５１も、組付けレール３０のアンダカット３１に導入可能なノーズ５６を有する。両ロック部分５１，５２は結合体５５を介して、それぞれの組付けレール３０，３０′に固定することができる。この場合結合体５５は、同時に、ロック部分５１，５２の切欠き５７，５８と組付けレール３０の背側の溝３４内に係合する。
【００４５】
ロック部分５１，５２を容易に集結させることができるようにするために、ガイドが設けられている。受動的なロック部分５１は、能動的なロック部分５２のピン５３を導入することができる開口５４を有する。
【００４６】
両ロック部分５１，５２のロックは、能動的なロック部分５２に設けられた緊締ばね５９を介して実現され、この緊締ばね５９は、同様に能動的なロック部分５２に設けられた緊締レバー６０に結合されている。緊締ばね５９は、受動的なロック部分５１の緊締ノーズ６１を介して設置される。緊締レバー６０の操作によって、両ロック部分５１，５２は互いに集結させられ、かつ互いに可逆式に結合される。緊締ノーズ６１、緊締ばね５９及び緊締レバー６０の組合せは、トグル機構原理によって作動し、これによって、両ロック部分５１，５２及び互いに接触接続された差込み式コネクタ１，１′の特に安定した連結が、同時に生ぜしめられる。さらにトグル機構原理は、ロック解除動作をも促進する。
【００４７】
図７には、差込み式コネクタ１，１′のシステムの複数の平面が示されている。差込み式コネクタ１，１′の互いに向かい合って位置する２つのシステムは、ロック装置５０を介して互いに接触接続されている。ロック装置５０には、その上下両側に組付けレール３０，３０′を固定することができる。これによって差込み式コネクタ１，１′の複数のシステムを、等間隔をおいて互いに上下に配置することができる。
【符号の説明】
【００４８】
１，１′，１ａ，１ｂ  差込み式コネクタ
２  ベースボディ
３  円筒状のピン
４  円弧状の溝
５  位置固定ノーズ
６  スプリングピン
７  支持輪郭
１０  保持ケージ
１１  アーム
１２  係止エレメント
２０  接触接続エレメント
２１  圧着開口
２２  ピンコンタクト
３０  組付けレール
３１  アンダカット
３２  アンダカット
３３  肩部
３４  溝
４０  ケーブル螺合部
５０  ロック装置
５１  受動的なロック部分
５２  能動的なロック部分
５３  ピン
５４  開口
５５  結合体
５６  ノーズ
５７  切欠き
５８  切欠き
５９  緊締ばね
６０  緊締レバー
６１  緊締ノーズ
【図１】
0005661952.tif 000002
【図２】
0005661952.tif 000003
【図３】
0005661952.tif 000004
【図４】
0005661952.tif 000005
【図５】
0005661952.tif 000006
【図６】
0005661952.tif 000007
【図７】
0005661952.tif 000008
【図８】
0005661952.tif 000009